(57)【特許請求の範囲】
【請求項１】
自己のアドレスを設定するためのアドレス設定スイッチと、メモリーと、前記アドレス設定スイッチにより設定されたアドレスを前記メモリーに書き込みまた前記メモリーに書き込まれたアドレスを読み出すアドレス書込読出手段と、室外機と通信データの送受を行う室内機通信手段と、前記アドレス書込読出手段と前記室内機通信手段を制御する室内機制御手段とを備えた複数の室内機と、
接続確認のとれた前記室内機のアドレスを記憶する記憶手段と、前記室内機と通信データの送受を行う室外機通信手段と、前記記憶手段と室外機通信手段を制御する室外機制御手段とを備えた室外機とからなり、
前記室内機制御手段は、前記メモリーにアドレスが書き込まれているときに前記アドレス設定スイッチにより自己のアドレスが変更されると、変更前のアドレスを送信元アドレスとして自己のアドレスが変更後アドレスに変更されたことを知らせるアドレス変更データを前記室内機通信手段により室外機に送信した後に、前記アドレス書込読出手段により前記メモリーのアドレスを変更後アドレスに書き換え、前記室内機通信手段により前記室外機から前記変更後アドレスを変更前のアドレスに戻させるアドレス復帰データを受信したとき、前記アドレス書込読出手段により前記メモリーの変更後アドレスを変更前のアドレスに書き換え、
前記室外機制御手段は、前記室外機通信手段により前記室内機から前記アドレス変更データを受信したとき、前記アドレス変更データの送信元アドレスが前記記憶手段に記憶されたアドレスの１つに一致していれば、前記アドレス変更データの前記変更後アドレスを送信先アドレスとして前記アドレス復帰データを前記室外機通信手段により前記室内機に送信することを特徴とする空気調和機。
【発明の詳細な説明】
【０００１】
【産業上の利用分野】
本発明は複数の室内機と室外機が同一の通信線上に接続されている空気調和機に関し、詳しくは室内機のアドレス変更に関する。
【０００２】
【従来の技術】
近年、複数の室内機と室外機が通信により運転制御する空気調和機が提案されている（例えば、特開平２−８５６３４号公報）。以下、この種の従来の空気調和装置について説明する。
【０００３】
従来のこの種の空気調和機は、通信上における自己の号機を示す自己アドレスをアドレスを設定するスイッチにより設定し、送信先相手の号機を示す相手アドレスとにより、室内機と室外機が互いに通信している。
【０００４】
各機器は通信データの相手アドレス番号と自己のアドレスとを比較することにより、自己に関するものであるか否かを判断し、自己に関する場合は、その制御データに従って運転している。
【０００５】
この際、室外機は送信している室内機の自己アドレスを記憶し、その接続台数に合った空気調和機の冷媒制御を行っている。
【０００６】
【発明が解決しようとする課題】
しかしながら、上記従来の空気調和機において、室内機のアドレスがアドレス設定用スイッチの不良などにより不意に変化し、その変化したアドレスにて室内機が通信した場合、室外機は接続されている室内機が新たに増えたものと判断し、室内機の全接続台数が増えることにより、冷媒制御が本来の制御から外れ、正しく出来なくなる問題点があった。
【０００７】
本発明は上記従来の課題を解決するもので、室内機のアドレスが変わった場合、室内機のアドレスを、変わる前のアドレスに設定することを目的とする。
【０００８】
【課題を解決するための手段】
この目的を達成するために、本発明の空気調和機は、自己のアドレスを設定するためのアドレス設定スイッチと、メモリーと、前記アドレス設定スイッチにより設定されたアドレスを前記メモリーに書き込みまた前記メモリーに書き込まれたアドレスを読み出すアドレス書込読出手段と、室外機と通信データの送受を行う室内機通信手段と、前記アドレス書込読出手段と前記室内機通信手段を制御する室内機制御手段とを備えた複数の室内機と、接続確認のとれた前記室内機のアドレスを記憶する記憶手段と、前記室内機と通信データの送受を行う室外機通信手段と、前記記憶手段と室外機通信手段を制御する室外機制御手段とを備えた室外機とからなり、前記室内機制御手段は、前記メモリーにアドレスが書き込まれているときに前記アドレス設定スイッチにより自己のアドレスが変更されると、変更前のアドレスを送信元アドレスとして自己のアドレスが変更後アドレスに変更されたことを知らせるアドレス変更データを前記室内機通信手段により室外機に送信した後に、前記アドレス書込読出手段により前記メモリーのアドレスを変更後アドレスに書き換え、前記室内機通信手段により前記室外機から前記変更後アドレスを変更前のアドレスに戻させるアドレス復帰データを受信したとき、前記アドレス書込読出手段により前記メモリーの変更後アドレスを変更前のアドレスに書き換え、前記室外機制御手段は、前記室外機通信手段により前記室内機から前記アドレス変更データを受信したとき、前記アドレス変更データの送信元アドレスが前記記憶手段に記憶されたアドレスの１つに一致していれば、前記アドレス変更データの前記変更後アドレスを送信先アドレスとして前記アドレス復帰データを前記室外機通信手段により前記室内機に送信するのである。
【０００９】
【作用】
本発明の空気調和機では、メモリーにアドレスが書き込まれているときにアドレス設定スイッチにより自己のアドレスが変更されると、室内機制御手段は、変更前のアドレスを送信元アドレスとして自己のアドレスが変更後アドレスに変更されたことを知らせるアドレス変更データを室内機通信手段により室外機に送信した後に、アドレス書込読出手段によりメモリーのアドレスを変更後アドレスに書き換える。
【００１０】
次に、室外機通信手段により室内機から前記アドレス変更データを受信したとき室外機制御手段は、アドレス変更データの送信元アドレスが記憶手段に記憶されたアドレスの１つに一致していれば、アドレス変更データの変更後アドレスを送信先アドレスとして変更後アドレスを変更前のアドレスに戻させるアドレス復帰データを室外機通信手段により室内機に送信する。
【００１１】
次に、室内機通信手段により室外機からアドレス復帰データを受信したとき室内機制御手段は、アドレス書込読出手段によりメモリーの変更後アドレスを変更前のアドレスに書き換えるのである。
【００１２】
以上の動作により、室内機のアドレスが変わった場合、室内機のアドレスを、変わる前のアドレスに戻すことができる。
【００１３】
【実施例】
以下、本発明の一実施例の空気調和機について、図面を参照しながら説明する。図１は本発明の一実施例の空気調和機のブロック図、図２（ａ）は同実施例の空気調和機におけるアドレス設定スイッチによりアドレスを設定またはアドレスが変更されたときの室内機の制御を示すフローチャート、図２（ｂ）は同実施例の空気調和機における室外機から通信データを受信したときの室内機の制御を示すフローチャート、図３は同実施例の空気調和機における室外機の制御を示すフローチャート、図４は同実施例の空気調和機の室外機と室内機との間の通信データの構成を示すデータ構成図である。
【００１４】
図１において、１ａ，１ｂは室内機であり、それぞれ自己のアドレスを設定するためのアドレス設定スイッチ２ａ，２ｂと、メモリー３ａ，３ｂと、アドレス設定スイッチ２ａ，２ｂにより設定されたアドレスをメモリー３ａ，３ｂに書き込み、またメモリー３ａ，３ｂに書き込まれたアドレスを読み出すアドレス書込読出手段４ａ，４ｂと、室外機５と通信データの送受を行う室内機通信手段６ａ，６ｂと、アドレス書込読出手段４ａ，４ｂと室内機通信手段６ａ，６ｂを制御する室内機制御手段７ａ，７ｂとを備えている。
【００１５】
室外機５は、接続確認のとれた室内機１ａ，１ｂのアドレスを記憶する記憶手段８と、室内機１ａ，１ｂと通信データの送受を行う室外機通信手段９と、記憶手段８と室外機通信手段９を制御する室外機制御手段１０と、電源が投入されたとき室内機１ａ，１ｂへ送信開始データを送信する制御を行う送信開始制御手段１１とを備えている。
【００１６】
また、１２は伝送線であり、室内機１ａ，１ｂと室外機５とは伝送線１２を介して通信データの送受を行う。
【００１７】
１３は室内機制御手段７ａ，７ｂ内に設けられるアドレス変更制御手段であり、アドレス書込読出手段４ａ，４ｂの状態を常に監視し、メモリー３ａ，３ｂにアドレスが書き込まれているときにアドレス設定スイッチ２ａ，２ｂにより、自己のアドレスが変更されたとき、変更前のアドレスを送信元アドレスＳＡとして自己のアドレスが変更後アドレスに変更されたことを知らせるアドレス変更データを室内機通信手段６ａ，６ｂにより室外機５に送信した後に、アドレス書込読出手段４ａ，４ｂによりメモリー３ａ，３ｂのアドレスを変更後アドレスに書き換える制御を行う。
【００１８】
１４は室内機制御手段７ａ，７ｂ内に設けられる送信先アドレス抽出手段であり、受信した通信データから送信先アドレスＤＡを抽出する。
【００１９】
１５は室内機制御手段７ａ，７ｂ内に設けられるアドレス比較手段であり、送信先アドレス抽出手段１４により抽出したアドレスとアドレス書込読出手段４ａ，４ｂにより読み出したメモリー３ａ，３ｂ内のアドレスとを比較する。
【００２０】
１６は室内機制御手段７ａ，７ｂ内に設けられる通信データ解読手段であり、アドレス比較手段１５によりアドレスの一致が確認されたとき、受信した通信データのデータ部ＤＡＴＡを解読する。
【００２１】
１７は室内機制御手段７ａ，７ｂ内に設けられる接続確認制御手段であり、通信データ解読手段１６により、受信した通信データが送信開始データと分かったとき、室外機５へ接続確認データを送信する制御を行う。
【００２２】
１８は室内機制御手段７ａ，７ｂ内に設けられる室内機冷媒システム制御手段であり、通信データ解読手段１６により、受信した通信データが冷媒システム制御に関するものであると分かったとき、室内機１ａ，１ｂの冷媒システムの制御を行う。
【００２３】
１９は室内機制御手段７ａ，７ｂ内に設けられるアドレス復帰制御手段であり、通信データ解読手段１６により、受信した通信データがアドレス復帰データであると分かったとき、アドレス書込読出手段４ａ，４ｂによりメモリー３ａ，３ｂのアドレスをアドレス復帰データのアドレスに書き換える制御を行う。
【００２４】
２０は室外機制御手段１０内に設けられ室外機５のアドレスを記憶する室外機アドレスメモリーである。
【００２５】
２１は室外機制御手段１０内に設けられ、受信した通信データから送信先アドレスＤＡを抽出する送信先アドレス抽出手段である。
【００２６】
２２は室外機制御手段１０内に設けられ、送信先アドレス抽出手段２１により抽出したアドレスと室外機アドレスメモリー２０内のアドレスとを比較する送信先アドレス比較手段である。
【００２７】
２３は室外機制御手段１０内に設けられ、送信先アドレス比較手段２２によりアドレスの一致が確認されたとき、受信した通信データのデータ部ＤＡＴＡを解読する通信データ解読手段である。
【００２８】
２４は室外機制御手段１０内に設けられ、送信先アドレス比較手段２２によりアドレスの一致が確認されたとき、受信した通信データの送信元アドレスＳＡを抽出する送信元アドレス抽出手段である。
【００２９】
２５は室外機制御手段１０内に設けられる室内機アドレス書込み手段であり、通信データ解読手段２３により、受信した通信データが接続確認データであると分かったとき、送信元アドレス抽出手段２４により抽出した送信元アドレスＳＡを記憶手段８に書き込む制御を行う。
【００３０】
２６は室外機制御手段１０内に設けられ、送信元アドレス抽出手段２４により抽出したアドレスと、記憶手段８に記憶している複数の室内機のアドレスとを比較する送信元アドレス比較手段である。
【００３１】
２７は室外機制御手段１０内に設けられる室外機冷媒システム制御手段であり、通信データ解読手段２３により、受信した通信データが冷媒システム制御に関するものであると分かったとき、室外機の冷媒システムの制御を行う。
【００３２】
２８は室外機制御手段１０内に設けられるアドレス復帰制御手段であり、通信データ解読手段２３により、受信した通信データがアドレス変更データであると分かったとき、アドレス変更データのデータ部ＤＡＴＡ内の変更後アドレスを送信先アドレスとして変更後アドレスを送信元アドレス抽出手段２４により抽出したアドレスに戻させるアドレス復帰データを室外機通信手段９により室内機１ａ，１ｂに送信する制御を行う。
【００３３】
以上のように構成された本実施例の空気調和機について以下その動作を、図１から図３を参照しながら説明する。
【００３４】
まず、室内機１ａ，１ｂにおいて、メモリー３ａ，３ｂにアドレスを記憶させていない初期の状態で、アドレス設定スイッチ２ａ，２ｂによりアドレスが設定されると（図２（ａ）のｓｔｅｐ１）、図２（ａ）のｓｔｅｐ２をＮｏ側に分岐して、設定されたアドレスをアドレス書込読出手段４ａ，４ｂによりメモリー３ａ，３ｂに書き込む（図２（ａ）のｓｔｅｐ３）。
【００３５】
空気調和機に電源が投入されたとき、室外機５は送信開始制御手段１１の制御により室外機通信手段９を介して室内機１ａ，１ｂへ通信データ（送信開始データ）を送信する（図３のｓｔｅｐ１５）。
【００３６】
一方、室内機１ａ，１ｂが室内機通信手段６ａ，６ｂにより通信データ（送信開始データ）を受信すると、図２（ｂ）のｓｔｅｐ５をＹｅｓ側に分岐し、送信先アドレス抽出手段１４により通信データ（送信開始データ）の送信先アドレスＤＡを抽出し（図２（ｂ）のｓｔｅｐ６）、アドレス比較手段１５が、その送信先アドレスＤＡと、アドレス書込読出手段４ａ，４ｂによりメモリー３ａ，３ｂから読み出したアドレスとを比較する（図２（ｂ）のｓｔｅｐ７）。
【００３７】
アドレス比較手段１５で比較した結果、アドレスが一致すれば、図２（ｂ）のｓｔｅｐ８をＹｅｓ側に分岐し、通信データ解読手段１６により通信データ（送信開始データ）のデータ部ＤＡＴＡを解読する（図２（ｂ）のｓｔｅｐ９）。
【００３８】
解読の結果、受信した通信データが送信開始データであると分かると、図２（ｂ）のｓｔｅｐ１０をＹｅｓ側に分岐し、接続確認制御手段１７の制御により室内機通信手段６ａ，６ｂを介して室外機５へ通信データ（接続確認データ）を送信する（図２（ｂ）のｓｔｅｐ１１）。
【００３９】
室外機５が室外機通信手段９により通信データ（接続確認データ）を受信すると、図３のｓｔｅｐ１６をＹｅｓ側に分岐し、送信先アドレス抽出手段２１により通信データ（接続確認データ）の送信先アドレスＤＡを抽出し（図３のｓｔｅｐ１７）、送信先アドレス比較手段２２が、その送信先アドレスＤＡと、室外機アドレスメモリー２０に記憶している室外機５のアドレスとを比較する（図３のｓｔｅｐ１８）。
【００４０】
送信先アドレス比較手段１５で比較した結果、アドレスが一致すれば、図３のｓｔｅｐ１９をＹｅｓ側に分岐し、通信データ解読手段２３により通信データ（接続確認データ）のデータ部ＤＡＴＡを解読する（図３のｓｔｅｐ２０）。
【００４１】
解読の結果、受信した通信データが接続確認データであると分かると、図３のｓｔｅｐ２１をＹｅｓ側に分岐し、送信元アドレス抽出手段２４により抽出した通信データ（接続確認データ）の送信元アドレスＳＡを室内機アドレス書込み手段２５により記憶手段８に書き込む（図３のｓｔｅｐ２２）。
【００４２】
接続確認データの受信により自己と接続されている室内機１ａ，１ｂのアドレスを確認すると、室外機５が室内機１ａ，１ｂに冷媒システム制御に関する通信データを送信する。
【００４３】
一方、室内機１ａ，１ｂが室内機通信手段６ａ，６ｂにより室外機５からの冷媒システム制御に関する通信データを受信すると、図２（ｂ）のｓｔｅｐ５をＹｅｓ側に分岐し、送信先アドレス抽出手段１４により通信データの送信先アドレスＤＡを抽出し（図２（ｂ）のｓｔｅｐ６）、アドレス比較手段１５が、その送信先アドレスＤＡと、アドレス書込読出手段４ａ，４ｂによりメモリー３ａ，３ｂから読み出したアドレスとを比較する（図２（ｂ）のｓｔｅｐ７）。
【００４４】
アドレス比較手段１５で比較した結果、アドレスが一致すれば、図２（ｂ）のｓｔｅｐ８をＹｅｓ側に分岐し、通信データ解読手段１６により通信データのデータ部ＤＡＴＡを解読する（図２（ｂ）のｓｔｅｐ９）。
【００４５】
解読の結果、受信した通信データが冷媒システム制御に関するものであると分かると、図２（ｂ）のｓｔｅｐ１０をＮｏ側に分岐した後、図２（ｂ）のｓｔｅｐ１２をＮｏ側に分岐し、室内機冷媒システム制御手段１８により室内機１ａ，１ｂの冷媒システムの制御を行う。
【００４６】
また、空気調和機の運転中に、室外機５が室外機通信手段９により室内機１ａ，１ｂからの冷媒システム制御に関する通信データを受信すると、図３のｓｔｅｐ１６をＹｅｓ側に分岐し、送信先アドレス抽出手段２１により通信データの送信先アドレスＤＡを抽出し（図３のｓｔｅｐ１７）、送信先アドレス比較手段２２が、その送信先アドレスＤＡと、室外機アドレスメモリー２０に記憶している室外機５のアドレスとを比較する（図３のｓｔｅｐ１８）。
【００４７】
送信先アドレス比較手段１５で比較した結果、アドレスが一致すれば、図３のｓｔｅｐ１９をＹｅｓ側に分岐し、通信データ解読手段２３により通信データのデータ部ＤＡＴＡを解読する（図３のｓｔｅｐ２０）。
【００４８】
解読の結果、受信した通信データが接続確認データでないので、図３のｓｔｅｐ２１をＮｏ側に分岐し、送信元アドレス抽出手段２４により抽出した通信データの送信元アドレスＳＡと記憶手段８に記憶している複数のアドレスとを送信元アドレス比較手段２６により順次比較し（図３のｓｔｅｐ２３）、一致するものがなければ、図３のｓｔｅｐ２４をＮｏ側に分岐して図３のｓｔｅｐ１６に戻り、一致が確認されると、図３のｓｔｅｐ２４をＹｅｓ側に分岐する。
【００４９】
受信した通信データが冷媒システム制御に関するものと分かり、その送信元アドレスＳＡが記憶手段８に記憶している複数のアドレスの一つと一致した場合、図３のｓｔｅｐ２５をＮｏ側に分岐し、室外機冷媒システム制御手段２７により室外機５の冷媒システムの制御を行う。
【００５０】
その後、仮に、室内機１ａのアドレス設定スイッチ２ａの不良により室内機１ａの設定アドレスが変わった（図２（ａ）のｓｔｅｐ１）場合は、メモリー３ａに既にアドレスを記憶している状態で室内機１ａの設定アドレスが変わったことをアドレス変更制御手段１３が検知し、図２（ａ）のｓｔｅｐ２をＹｅｓ側に分岐して、アドレス変更制御手段１３の制御により、メモリー３ａに記憶している変更前のアドレスを送信元アドレスＳＡとして、自己のアドレスが変更後アドレスに変更されたことを知らせる通信データ（アドレス変更データ）を室内機通信手段６ａにより室外機５に送信した（図２（ａ）のｓｔｅｐ４）後に、アドレス書込読出手段４ａによりメモリー３ａのアドレスを変更後アドレスに書き換える（図２（ａ）のｓｔｅｐ３）。
【００５１】
そして、室外機５が室外機通信手段９により室内機１ａからの通信データ（アドレス変更データ）を受信すると、図３のｓｔｅｐ１６をＹｅｓ側に分岐し、送信先アドレス抽出手段２１により通信データ（アドレス変更データ）の送信先アドレスＤＡを抽出し（図３のｓｔｅｐ１７）、送信先アドレス比較手段２２が、その送信先アドレスＤＡと、室外機アドレスメモリー２０に記憶している室外機５のアドレスとを比較する（図３のｓｔｅｐ１８）。
【００５２】
送信先アドレス比較手段１５で比較した結果、アドレスが一致すれば、図３のｓｔｅｐ１９をＹｅｓ側に分岐し、通信データ解読手段２３により通信データ（アドレス変更データ）のデータ部ＤＡＴＡを解読する（図３のｓｔｅｐ２０）。
【００５３】
解読の結果、受信した通信データが接続確認データでないので、図３のｓｔｅｐ２１をＮｏ側に分岐し、送信元アドレス抽出手段２４により抽出した通信データ（アドレス変更データ）の送信元アドレスＳＡと記憶手段８に記憶している複数のアドレスとを送信元アドレス比較手段２６により順次比較し（図３のｓｔｅｐ２３）、一致するものがなければ、図３のｓｔｅｐ２４をＮｏ側に分岐して図３のｓｔｅｐ１６に戻り、一致が確認されると、図３のｓｔｅｐ２４をＹｅｓ側に分岐する。
【００５４】
受信した通信データがアドレス変更データと分かり、その送信元アドレスＳＡが記憶手段８に記憶している複数のアドレスの一つと一致した場合、図３のｓｔｅｐ２５をＹｅｓ側に分岐し、アドレス復帰制御手段２８の制御により、アドレス変更データのデータ部ＤＡＴＡ内の変更後アドレスを送信先アドレスＤＡとして、変更後アドレスを送信元アドレス抽出手段２４により抽出したアドレスに戻させる通信データ（アドレス復帰データ）を室外機通信手段９により室内機１ａに送信する。
【００５５】
そして、室内機１ａが室内機通信手段６ａにより室外機５からの通信データ（アドレス復帰データ）を受信すると、図２（ｂ）のｓｔｅｐ５をＹｅｓ側に分岐し、送信先アドレス抽出手段１４により通信データ（アドレス復帰データ）の送信先アドレスＤＡを抽出し（図２（ｂ）のｓｔｅｐ６）、アドレス比較手段１５が、その送信先アドレスＤＡと、アドレス書込読出手段４ａ，４ｂによりメモリー３ａから読み出したアドレス（変更後アドレス）とを比較する（図２（ｂ）のｓｔｅｐ７）。
【００５６】
アドレス比較手段１５で比較した結果、アドレスが一致すれば、図２（ｂ）のｓｔｅｐ８をＹｅｓ側に分岐し、通信データ解読手段１６により通信データ（アドレス復帰データ）のデータ部ＤＡＴＡを解読する（図２（ｂ）のｓｔｅｐ９）。
【００５７】
解読の結果、受信した通信データがアドレス復帰データであると分かると、図２（ｂ）のｓｔｅｐ１０をＮｏ側に分岐した後、図２（ｂ）のｓｔｅｐ１２をＹｅｓ側に分岐し、アドレス復帰制御手段１９の制御により、アドレス書込読出手段４ａによりメモリー３ａのアドレスをアドレス復帰データのアドレスに書き換える。
【００５８】
なお、本実施例では、説明を簡単にするため、室外機５に２台の室内機１ａ，１ｂを接続しているが、３台以上の室内機を接続しても構わないことは言うまでもない。
【００５９】
以上説明したように本実施例の空気調和機は、室内機１ａ，１ｂにおいてアドレス設定スイッチ２ａ，２ｂにより自己のアドレスが変更されると、変更前のアドレスを送信元アドレスＳＡとして自己のアドレスが変更後アドレスに変更されたことを知らせるアドレス変更データを室外機５に送信した後に、自己のアドレスを記憶するメモリー３ａ，３ｂを変更後アドレスに書き換え、室外機５においてアドレス変更データを受信すると、アドレス変更データの送信元アドレスＳＡが接続確認動作時に記憶手段８に記憶されたアドレスの１つに一致していることを確認したのち、アドレス変更データ中の変更後アドレスを送信先アドレスＤＡとして変更後アドレスを変更前のアドレスに戻させるアドレス復帰データを室内機１ａ，１ｂに送信し、室内機１ａ，１ｂにおいてアドレス復帰データを受信すると、メモリー３ａ，３ｂ内の変更後アドレスを変更前のアドレスに書き換えるので、室内機１ａ，１ｂのアドレス設定スイッチ２ａ，２ｂに不良が生じたり、誤ってアドレスを変更してしまった場合でも、室外機５の管理下で、室内機１ａ，１ｂのアドレスを、元のアドレスに戻すことができるので、室内機１ａ，１ｂのアドレス変更による冷媒システムの制御上の不具合の発生を抑制できる。
【００６０】
【発明の効果】
以上のように本発明の空気調和機は、室内機においてアドレス設定スイッチにより自己のアドレスが変更されると、変更前のアドレスを送信元アドレスとして自己のアドレスが変更後アドレスに変更されたことを知らせるアドレス変更データを室外機に送信した後に、自己のアドレスを記憶するメモリーを変更後アドレスに書き換え、室外機においてアドレス変更データを受信すると、アドレス変更データの送信元アドレスが接続確認動作時に記憶手段に記憶されたアドレスの１つに一致していることを確認したのち、アドレス変更データ中の変更後アドレスを送信先アドレスとして変更後アドレスを変更前のアドレスに戻させるアドレス復帰データを室内機に送信し、室内機においてアドレス復帰データを受信すると、メモリー内の変更後アドレスを変更前のアドレスに書き換えるようにしたものである。
【００６１】
これにより、室内機のアドレス設定スイッチに不良が生じたり、誤ってアドレスを変更してしまった場合でも、室外機の管理下で、室内機のアドレスを、元のアドレスに戻すことができるので、室内機のアドレス変更による冷媒システムの制御上の不具合の発生を抑制できる。
【図面の簡単な説明】
【図１】
本発明の一実施例の空気調和機のブロック図
【図２】
（ａ）同実施例の空気調和機におけるアドレス設定スイッチによりアドレスを設定またはアドレスが変更されたときの室内機の制御を示すフローチャート
（ｂ）同実施例の空気調和機における室外機から通信データを受信したときの室内機の制御を示すフローチャート
【図３】
同実施例の空気調和機における室外機の制御を示すフローチャート
【図４】
同実施例の空気調和機の室外機と室内機との間の通信データの構成を示すデータ構成図
【符号の説明】
１ａ，１ｂ  室内機
２ａ，２ｂ  アドレス設定スイッチ
３ａ，３ｂ  メモリー
４ａ，４ｂ  アドレス書込読出手段
５          室外機
６ａ，６ｂ  室内機通信手段
７ａ，７ｂ  室内機制御手段
８          記憶手段
９          室外機通信手段
１０        室外機制御手段
【図１】
0003549288.tif 000002
【図２】
0003549288.tif 000003
【図３】
0003549288.tif 000004
【図４】
0003549288.tif 000005